(57)【要約】      （修正有）【課題】洗浄機付きタイプの水洗便器で用便後に洗浄するとき、的確に局部の洗浄ができる可動式便座付き便器を提供する。【解決手段】便座部が前後左右自在にスライドしてアジャストできるため、用便後の洗浄を容易に的確に行うことが可能で、衛生的で且つ健康面にも寄与できる可動式便座付き便器。【選択図】図１
0003115719.tif 000002
【実用新案登録請求の範囲】
【請求項１】
洗浄機付き水洗トイレの便器であって、用便後の洗浄が局部に的確に行われ易いように、便座を前後左右自在にスライドさせ、アジャストを可能に構成したことを特徴とした可動式便座付き便器。
【請求項２】
可動式便座付き便器の可動便座の可動装置であって、便器本体と可動便座の間に設置して用いる装置である。可動装置の機構は、球体を内部に保有した上部と下部から成るケーシングの両端部にスプリングを設置し、該、スプリングにより上部ケーシングを球体より浮かせて、球体を中央の定位置へ戻せるように下部ケーシングの底部に勾配を持たせたことを特徴とした請求項１の可動式便座付き便器の可動便座の可動装置。
【考案の詳細な説明】
【技術分野】
【０００１】本考案は洗浄機付き水洗トイレの可動式便座であって、更に記述すると、用便後に洗浄が局部に的確に行われ易いように便座を可動式とし、前後左右自在にスライドさせアジャストすることを可能に構成したことを特徴とした可動式便座付き便器に関する。
【背景技術】
【０００２】近年、生活水準が向上し、トイレも洗浄機付きタイプのものが普及してきて、デパートやスパーでも見られるようになってきている。このような中一般家庭でも洗浄機付きタイプの水洗トイレが普及してきていて、種々様々な便器が生産されている。
【考案の開示】
【考案が解決しょうとする課題】
【０００３】しかしながら、用便後に便座がスライドして自在に的確に洗浄が出来る洗浄機付き便器は存在せず、その開発が強く望まれていた。
本考案はこの様な状況下、以下の目的を達成することを課題とする。即ち本考案は、用便後の洗浄が的確に行えるように、便座が前後左右自在にスライドし容易にアジャストできる可動式便座付き便器を提供することを目的とする。
【課題を解決するための手段】
【０００４】本考案は前記課題を解決するため、下記の可動式便座付き便器を提供する。
請求項１の考案は、洗浄機付き水洗トイレで用便後的確な洗浄が容易に行えるように、便座を前後左右自在にスライドさせアジャストできるように構成したことを特徴とした可動式便座付き便器である。
請求項２の考案は、前記可動式便座付き便器の便座を前後左右自在にスライドさせアジャストするための可動装置に関し、球体を中に保有した上部と下部からなるケーシングを便器本体と可動便座の間に設置し、円滑なスライドが得られるように構成したことを特徴とした可動式便座付き便器の可動装置である。
【考案の効果】
【０００５】本考案によれば、洗浄機付きタイプの水洗トイレで用便後洗浄するとき、座した位置と洗浄機のノズルの位置がずれて局部に的確な洗浄が行われない場合でも、本考案の便座は可動式であるから、前後左右自在に調節ができ容易に最適な洗浄感を得ることのできる可動式便座付き便器を提供することができるものである。
【考案を実施するための最良の形態】
【０００６】本考案は、洗浄機付きタイプの便器の便座であって、座したままの状態で便座を前後左右自在に調整できるように構成したことを特徴とした便器である。洗浄機付き便器本体と可動式便座と可動装置からから成り立っており、実施するための最良の形態を、一実施例として図面を参照し、更に詳しく説明する。
【実施例】
【０００７】図１は、本考案に係る可動式便座を有する洗浄機付き便器の便座部を示した斜視図であり、１は便器本体を示し、２は可動式便座を示し、３は可動装置をそれぞれ示す。【０００８】前記、可動式便座付き便器は、図２の断面ＡＡに示すように、便器本体１と可動式便座２の間に可動装置３を設置したものである。【０００９】該、可動装置３は、図２及び図４に示すように、上部ケーシング３ａと下部ケーシング３ｂの間に球体３ｃを保有したものである。【００１０】該、球体３ｃは、可動式便座に体重の荷重が掛って無い時は、上部ケーシング３ａの補強板３ｄと下部ケーシング３ｂの補強板３ｅの間に設けたスプリング３ｆにより上方へ押し上げられ下部ケーシング３ｂの底部に設けた勾配３ｈに沿って球体３ｃが下部ケーシング３ｂの中央部へ転がって戻る機構により、繰り返しスライドが可能となるものである。【００１１】上記、可動式便座の可動装置は、図４に示すように、上部ケーシング３ａの補強板３ｄと下部ケーシング３ｂの補強板３ｅの間にスプリング３ｆを設け、上下の両端を固定したスプリング３ｆのバネの撓みにより、便座にかかる体重の荷重が無くなった時に、スライドして移動した便座を元の位置へ戻すべく力が働き復元が可能になるものである。【００１２】便座のスライドの限界は下部ケーシング３ｂの外端部の壁面３ｈに、ケーシング内の球体３ｃが接触するまでスライドが可能であり、該、下部ケーシング３ｂの外端部の壁面３ｈがストッパーとなるものである。【００１３】また、図２に示すように、上部ケーシング３ａと補強板３ｄ及び下部ケーシング３ｂと補強板３ｅは１体成形で加工しても差し支えないものである。【００１４】これらの可動装置を便器本体と可動式便座の間に、数ヶ所配置することにより荷重が分散され可動便座の安定性と可動装置の耐久性が向上するものである。【００１５】以上、本考案の一実施形態について詳細に説明したが、本考案は上記実施の形態に限定されず、本考案の要旨を逸脱しない範囲で種々変更しても差し支えない。【００１６】また、既に各家庭で使用されている洗浄機付き便器に対しては、可動式便座と可動装置を組立てたものを既存の便座の上に設置することで、容易に可動式便座の効果を得ることができるものであり、備品として提供できるものである。
【産業上の利用可能性】
【００１７】本考案の、洗浄機付き水洗トイレの可動式便座付き便器は、可動装置の機構の一部を除いて便器本体と同等の材質の材料から出来ており、大量生産が可能で安価に提供できるものである。
【図面の簡単な説明】
【００１４】図１は、本考案に係る可動式便座付き便器の斜視図である。
図２は、本考案の可動式便座と可動装置の横断面図である。
図３は、本考案の可動装置の平面図である。
図４は、本考案の可動装置の縦断面図である。
【符号の説明】
【００１６】１    洗浄機付き便器の本体
２    可動式便座
３    可動装置
３ａ  上部ケーシング
３ｂ  下部ケーシング
３ｃ  球体
３ｄ  上部ケーシングの補強板
３ｅ  下部ケーシングの補強板
３ｆ  スプリング
３ｇ  壁面
３ｈ  勾配
【図１】
0003115719.tif 000003
【図２】
0003115719.tif 000004
【図３】
0003115719.tif 000005
【図４】
0003115719.tif 000006
【手続補正書】
【提出日】平成17年7月22日(2005.7.22)
【手続補正１】
【補正対象書類名】実用新案登録請求の範囲
【補正対象項目名】全文
【補正方法】変更
【補正の内容】
【実用新案登録請求の範囲】
【請求項１】
洗浄機付き水洗トイレの便器であって、用便後の洗浄が局部に的確に行われ易いように、便器本体と便座の間に可動装置を設置し便座を前後左右自在にスライドさせることを可能にしたことを特徴とした可動式便座付き便器。
【請求項２】
上部と下部から成るケーシングの中に球体を配した可動装置で、該ケーシングの両端部にスプリングを設置して上部ケーシングを球体より浮かせ、下部ケーシングの底部に設けた勾配により、転動した球体を元の定位置へ戻せるようにしたことを特徴とした請求項１の可動式便座付き便器の可動装置。